(57)【要約】【課題】超音波診断装置に用いられる超音波探触子が有する複数の圧電素子の各々の機能を自己診断することが可能であり、さらに機能が損なわれていると自己診断された圧電素子の機能を回復させることが可能な超音波診断装置を提供する。【解決手段】送信用素子である無機圧電素子２２の近傍に配置された受信用素子である有機圧電素子２１で、該無機圧電素子２２が送信した超音波を受信し、受信信号を基準信号と比較することで故障等の発生した無機圧電素子２２を特定して自己診断し、機能回復を実施する。【選択図】図５
2010172411.tif 000002
【特許請求の範囲】
【請求項１】
被検体内に第１超音波信号を送信する複数の送信用素子を有する送信部と、
前記第１超音波信号が前記被検体内において反射されて生成された反射信号である第２超音波信号を受信して、電気信号を生成する複数の受信用素子を有する受信部と、
前記電気信号から前記被検体内の超音波画像を生成する画像処理部と、
前記電気信号を基に、前記第１超音波信号を送信する前記送信用素子の各々が正常に機能しているか判断する判断手段と、
前記送信部と前記受信部とを制御する制御部と、
を有し、
前記制御部は、前記送信部を制御して前記複数の送信用素子の各々に第１超音波信号を送信させ、前記受信部に前記第１超音波信号を受信させた後に、
前記判断手段に正常に機能していないと判断された送信用素子を駆動せず、正常に機能していると前記判断手段に判断された送信用素子を駆動して被検体に前記第１超音波信号を送信することを特徴とする超音波診断装置。
【請求項２】
被検体内に第１超音波信号を送信する複数の送信用素子を有する送信部と、
前記第１超音波信号が前記被検体内において反射されて生成された反射信号である第２超音波信号を受信して、電気信号を生成する複数の受信用素子を有する受信部と、
前記電気信号から前記被検体内の超音波画像を生成する画像処理部と、
前記電気信号を基に、前記複数の送信用素子の各々が送信する前記第１超音波信号を受信して前記複数の送信用素子の各々の機能を検査し、機能の補正が可能か判断する検査手段と、
前記送信部と前記受信部とを制御する制御部と、
を有し、
前記制御部は、前記送信部を制御して前記複数の送信用素子の各々に第１超音波信号を送信させ、前記受信部に前記第１超音波信号を受信させた後に、
前記検査手段に機能の補正が可能でないと判断された送信用素子を駆動せず、機能の補正が可能であると判断された送信用素子を駆動して前記被検体に前記第１超音波信号を送信することを特徴とする超音波診断装置。
【請求項３】
被検体内に第１超音波信号を送信する複数の送信用素子を有する送信部と、
前記第１超音波信号が前記被検体内において反射されて生成された反射信号である第２超音波信号を受信して、電気信号を生成する複数の受信用素子を有する受信部と、
前記電気信号から前記被検体内の超音波画像を生成する画像処理部と、
前記電気信号を基に、前記第１超音波信号を送信する前記送信用素子の各々が正常に機能しているか判断する判断手段と、
前記送信部と前記受信部とを制御する制御部と、
を有し、
前記制御部は、前記送信部を制御して前記複数の送信用素子の各々に第１超音波信号を送信させ、前記受信部に前記第１超音波信号を受信させた後に、
前記判断手段に正常に機能していないと判断された送信用素子を駆動せず、正常に機能していると前記判断手段に判断された送信用素子を前記正常に機能していないと判断された送信用素子の出力を補間させて駆動して前記被検体に前記第１超音波信号を送信することを特徴とする超音波診断装置。
【請求項４】
前記第２超音波信号は、前記第１超音波信号の第２高調波成分、または第３高調波成分であることを特徴とする請求項１から３の何れか１項に記載の超音波診断装置。
【請求項５】
前記送信用素子が正常に機能しているかを前記判断手段が判断する基となる前記電気信号、または、前記送信用素子の機能の補正が可能かを前記検査手段が判断する基となる前記電気信号は、前記送信用素子の近傍に位置する少なくとも一つの前記受信用素子から得ることを特徴とする請求項１から４の何れか１項に記載の超音波診断装置。
【請求項６】
前記送信用素子は無機圧電素子であり、前記受信用素子は有機圧電素子であることを特徴とする請求項１から５の何れか１項に記載の超音波診断装置。
【請求項７】
前記送信用素子と前記受信用素子とは前記第１超音波信号の送信方向に積層されてなることを特徴とする請求項１から６の何れか１項に記載の超音波診断装置。
【発明の詳細な説明】
【技術分野】
【０００１】
本発明は、超音波診断装置に用いられる超音波探触子が有する複数の圧電素子の機能を自己診断することが可能であり、さらに該圧電素子の機能を回復させることが可能な超音波診断装置に関する。
【背景技術】
【０００２】
超音波は、通常、１６０００Ｈｚ以上の音波をいい、非破壊、無害および略リアルタイムでその内部を調べることが可能なことから、欠陥の検査や疾患の診断等の様々な分野に応用されている。その一つに、被検体内を超音波で走査し、被検体内から来た超音波の反射波（エコー）から生成した受信信号に基づいて該被検体内の内部状態を画像化する超音波診断装置がある。この超音波診断装置は、医療用では、他の医療用画像装置に較べて小型で安価であり、そしてＸ線等の放射線被爆が無く安全性が高いこと、また、ドップラ効果を応用した血流表示が可能であること等の様々な特長を有している。このため、超音波診断装置は、循環器系（例えば心臓の冠動脈等）、消化器系（例えば胃腸等）、内科系（例えば肝臓、膵臓および脾臓等）、泌尿器系（例えば腎臓および膀胱等）および産婦人科系等で広く利用されている。
【０００３】
超音波診断装置には、被検体に対して超音波（超音波信号）を送受信する超音波探触子が用いられている。超音波探触子は、圧電現象を利用することによって、送信の電気信号に基づいて機械振動して超音波（超音波信号）を発生し、被検体内部で音響インピーダンスの不整合によって生じる超音波（超音波信号）の反射波を受けて電気信号である受信信号を生成する複数の圧電素子を備え、これら複数の圧電素子が例えばアレイ状に２次元配列されて構成されている（例えば、特許文献１参照）。
【０００４】
超音波診断装置や超音波探触子においては、長期の使用および磨耗により欠陥が生じうる。超音波探触子における２次元配列された圧電素子、及び回路系統は、電源の不安定、部品の老化・消耗、落下による破損、または数々の電気傷害のため機能不良が生じうる。さらに、各々の圧電素子自体に発生する欠陥や、各々の圧電素子に接続された細線である電気配線に発生する欠陥などの問題は、使用者にとって直ちに検知することができない。このような検知困難な欠陥は、超音波診断において、検知して改善をすることが困難な診断能力の低下を招来する。超音波診断装置にとって、このような問題を自己診断し、さらには機能回復することが望ましい。
【０００５】
この問題を解決するための提案がなされている。例えば、超音波探触子から超音波信号を、大気に暴露した超音波探触子の音響窓に向かって送信させ、音響窓と空気との界面において反射して戻るエコーを受信し、受信したエコーを解析して、超音波探触子の動作を確認するというものがある（例えば、特許文献２参照）。
【先行技術文献】
【特許文献】
【０００６】
【特許文献１】特開２００４−０８８０５６号公報
【特許文献２】特開平８−２３８２４３号公報
【発明の概要】
【発明が解決しようとする課題】
【０００７】
特許文献２に記載の技術は、確かに、超音波探触子が送信した超音波信号を被検体に伝播させずに受信して自ら送信した超音波信号を受信し、受信した超音波信号を解析することができる。被検体に送信せず、音響窓からの反射を受信するので、音響インピーダンスの不整合を検知してしまうこともないので、超音波探触子に発生する欠陥等を検知できる能力を有す。しかし、超音波探触子を構成する各々の圧電素子で受信する超音波信号は、各々の圧電素子から音響窓を経て反射するという長い経路を経た信号であるので、受信した超音波信号を解析することによっては、どの圧電素子に欠陥が生じているかを検知することは難しい。一方、超音波探触子で発生する不具合は、１つ１つの圧電素子の機能を回復させることで解決しなければならないものである。従って、特許文献２に記載の技術によっては、不具合の発生した超音波探触子を特定して自己診断し、機能回復することはできない。
【０００８】
本発明は、超音波診断装置に用いられる超音波探触子が有する複数の圧電素子の各々の機能を自己診断することが可能であり、さらに機能が損なわれていると自己診断された圧電素子の機能を回復させることが可能な超音波診断装置を提供することを目的とする。
【課題を解決するための手段】
【０００９】
前述の目的は、下記に記載する発明により達成される。
【００１０】
１．被検体内に第１超音波信号を送信する複数の送信用素子を有する送信部と、
前記第１超音波信号が前記被検体内において反射されて生成された反射信号である第２超音波信号を受信して、電気信号を生成する複数の受信用素子を有する受信部と、
前記電気信号から前記被検体内の超音波画像を生成する画像処理部と、
前記電気信号を基に、前記第１超音波信号を送信する前記送信用素子の各々が正常に機能しているか判断する判断手段と、
前記送信部と前記受信部とを制御する制御部と、
を有し、
前記制御部は、前記送信部を制御して前記複数の送信用素子の各々に第１超音波信号を送信させ、前記受信部に前記第１超音波信号を受信させた後に、
前記判断手段に正常に機能していないと判断された送信用素子を駆動せず、正常に機能していると前記判断手段に判断された送信用素子を駆動して被検体に前記第１超音波信号を送信することを特徴とする超音波診断装置。
【００１１】
２．被検体内に第１超音波信号を送信する複数の送信用素子を有する送信部と、
前記第１超音波信号が前記被検体内において反射されて生成された反射信号である第２超音波信号を受信して、電気信号を生成する複数の受信用素子を有する受信部と、
前記電気信号から前記被検体内の超音波画像を生成する画像処理部と、
前記電気信号を基に、前記複数の送信用素子の各々が送信する前記第１超音波信号を受信して前記複数の送信用素子の各々の機能を検査し、機能の補正が可能か判断する検査手段と、
前記送信部と前記受信部とを制御する制御部と、
を有し、
前記制御部は、前記送信部を制御して前記複数の送信用素子の各々に第１超音波信号を送信させ、前記受信部に前記第１超音波信号を受信させた後に、
前記検査手段に機能の補正が可能でないと判断された送信用素子を駆動せず、機能の補正が可能であると判断された送信用素子を駆動して前記被検体に前記第１超音波信号を送信することを特徴とする超音波診断装置。
【００１２】
３．被検体内に第１超音波信号を送信する複数の送信用素子を有する送信部と、
前記第１超音波信号が前記被検体内において反射されて生成された反射信号である第２超音波信号を受信して、電気信号を生成する複数の受信用素子を有する受信部と、
前記電気信号から前記被検体内の超音波画像を生成する画像処理部と、
前記電気信号を基に、前記第１超音波信号を送信する前記送信用素子の各々が正常に機能しているか判断する判断手段と、
前記送信部と前記受信部とを制御する制御部と、
を有し、
前記制御部は、前記送信部を制御して前記複数の送信用素子の各々に第１超音波信号を送信させ、前記受信部に前記第１超音波信号を受信させた後に、
前記判断手段に正常に機能していないと判断された送信用素子を駆動せず、正常に機能していると前記判断手段に判断された送信用素子を前記正常に機能していないと判断された送信用素子の出力を補間させて駆動して前記被検体に前記第１超音波信号を送信することを特徴とする超音波診断装置。
【００１３】
４．前記第２超音波信号は、前記第１超音波信号の第２高調波成分、または第３高調波成分であることを特徴とする前記１から３の何れか１項に記載の超音波診断装置。
【００１４】
５．前記送信用素子が正常に機能しているかを前記判断手段が判断する基となる前記電気信号、または、前記送信用素子の機能の補正が可能かを前記検査手段が判断する基となる前記電気信号は、前記送信用素子の近傍に位置する少なくとも一つの前記受信用素子から得ることを特徴とする前記１から４の何れか１項に記載の超音波診断装置。
【００１５】
６．前記送信用素子は無機圧電素子であり、前記受信用素子は有機圧電素子であることを特徴とする前記１から５の何れか１項に記載の超音波診断装置。
【００１６】
７．前記送信用素子と前記受信用素子とは前記第１超音波信号の送信方向に積層されてなることを特徴とする前記１から６の何れか１項に記載の超音波診断装置。
【発明の効果】
【００１７】
超音波診断装置に用いられる超音波探触子が有する複数の圧電素子の各々の機能を自己診断することが可能であり、さらに機能が損なわれていると自己診断された圧電素子の機能を回復させることが可能な超音波診断装置を提供できる。
【図面の簡単な説明】
【００１８】
【図１】実施形態における超音波診断装置の外観構成を示す図である。
【図２】実施形態における超音波診断装置の電気的な構成を示すブロック図である。
【図３】実施形態における超音波診断装置における超音波探触子の構成を示す図である。
【図４】実施形態における超音波探触子２内の回路構成を示す回路構成例１の概要図である。
【図５】実施形態における回路構成例１における接続状態を示す概要図である。
【図６】実施形態における超音波探触子２内の回路構成を示す回路構成例２の概要図である。
【図７】実施形態における回路構成例２における接続状態を示す概要図である。
【図８】実施形態における超音波探触子２内の回路構成を示す回路構成例３の概要図である。
【図９】実施形態における回路構成例３における送信側と受信側の実際の回路の一例の概要図である。
【図１０】実施形態における回路構成例３における送信側と受信側の実際の回路の他の例の概要図である。
【図１１】実施形態における超音波診断装置における超音波探触子の他の構成を示す図である。
【図１２】実施形態における超音波診断装置における超音波探触子の他の構成を示す図である。
【図１３】実施形態における第１故障診断処理の処理フロー図である。
【図１４】実施形態における２次元状に配列された無機圧電素子アレイ４の概要図である。
【図１５】実施形態における第２故障診断処理の処理フロー図である。
【図１６】実施形態における第３故障診断処理の処理フロー図である。
【発明を実施するための形態】
【００１９】
以下に本発明の実施形態を図面により説明するが、本発明は以下に説明する実施形態に限られるものではない。なお、各図において同一の符号を付した構成は、同一の構成であることを示し、その説明を省略する。また、本明細書において、適宜、総称する場合には添え字を省略した参照符号で示し、個別の構成を指す場合には添え字を付した参照符号で示す。
【００２０】
（超音波診断装置および超音波探触子の各構成および動作）
図１は、実施形態における超音波診断装置の外観構成を示す図である。図２は、実施形態における超音波診断装置の電気的な構成を示すブロック図である。図３は、実施形態の超音波診断装置における超音波探触子の構成を示す図である。
【００２１】
超音波診断装置Ｓは、図１に示すように、図略の生体等の被検体に対して超音波（超音波信号）を送信すると共に、被検体で反射した超音波の反射波（エコー、超音波信号）を受信する超音波探触子２と、超音波探触子２とケーブル３を介して接続され、超音波探触子２へケーブル３を介して電気信号の送信信号を送信することによって超音波探触子２に被検体に対して超音波を送信させると共に、超音波探触子２で受信された被検体内からの超音波の反射波に応じて超音波探触子２で生成された受信信号に基づいて被検体内の内部状態を超音波画像として画像化する超音波診断装置本体１とを備えて構成される。
【００２２】
超音波診断装置本体１は、例えば、図２に示すように、診断開始を指示するコマンドや被検体の個人情報等のデータを入力する操作入力部１１と、超音波探触子２へケーブル３を介して電気信号の送信信号を供給することで超音波探触子２に超音波を発生させるよう駆動する送信部１２と、超音波探触子２からケーブル３を介して受信信号を受信する受信部１３と、受信部１３で受信した受信信号に基づいて被検体内の内部状態の画像（超音波画像）を生成する画像処理部１４と、受信部１３で受信した受信信号に基づいて後述する自己診断と機能回復を実施するチェック部１７と、チェック部１７で得られた結果等を記憶させる記憶部１８と、画像処理部１４で生成された被検体内の内部状態の画像を表示する表示部１５と、これら操作入力部１１、送信部１２、受信部１３、画像処理部１４、表示部１５、チェック部１７および記憶部１８とを該機能に応じて制御することによって超音波診断装置Ｓの全体制御を行う制御部１６と、を備えて構成される。なお、チェック部は超音波探触子２の内部に備えられていてもよい。従って、図２では、超音波診断装置本体１と超音波探触子２の両方にチェック部１７が記されているが、原則、何れか一方に備えられるものとする。
【００２３】
超音波探触子（超音波プローブ）２は、超音波の送信用素子である無機圧電素子と、超音波の受信用素子である有機圧電素子とを備えている。
【００２４】
また、後述するように、無機圧電素子への送信信号や、有機圧電素子からの受信信号と超音波診断装置本体１とのやりとりを行い、制御部１６で制御される各回路を有する。
【００２５】
無機圧電素子は無機圧電材料を備えて成り、圧電現象を利用することによって受信信号と超音波信号との間で相互に信号を変換することができる。有機圧電素子は有機圧電材料を備えて成り、圧電現象を利用することによって電気信号と超音波信号との間で相互に信号を変換することができる。
【００２６】
有機圧電材料は、例えば、フッ化ビニリデンの重合体を用いることができる。また例えば、有機圧電材料は、フッ化ビニリデン（ＶＤＦ）系コポリマを用いることができる。
【００２７】
このような構成の超音波探触子２は、例えば、図３に示す構成の超音波探触子２を例示することができる。
【００２８】
この超音波探触子２は、平板状の音響制動部材２３と、この音響制動部材２３の上に積層された音響整合層３１と、この音響制動部材２３の一方主面上に支持されて積層された複数の無機圧電素子２２を備えた無機圧電素子アレイ４と、これら複数の無機圧電素子２２同士の隙間に音響分離材を充填して作製される音響分離部２４と、これら複数の無機圧電素子２２上に積層された共通接地電極２５と、この共通接地電極２５上に積層される音響整合層２６と、この音響整合層２６上に積層される有機圧電素子２１を備えた有機圧電素子アレイ５と、この有機圧電素子２１上に積層される音響整合層２７と、外部からの電気信号を受ける導電パッド２８と無機圧電素子２２の電極とを接続する第１信号線２９と、外部からの電気信号を受ける導電パッド２８と有機圧電素子２１の電極とを接続する第２信号線３０などから構成される。
【００２９】
音響制動部材２３は、超音波を吸収する材料から構成され、複数の無機圧電素子２２から音響制動部材２３方向へ放射される超音波を吸収するものである。
【００３０】
音響整合層３１は、音響制動部材２３と無機圧電素子２２の各々の音響インピーダンスの中間の音響インピーダンスを有し、音響制動部材２３と無機圧電素子２２の音響インピーダンスの整合を図る。
【００３１】
各無機圧電素子２２は、無機圧電材料から構成される圧電素子１０１における互いに対向する両面にそれぞれ電極１０２、１０３を備えて構成される。複数の無機圧電素子２２は、互いに所定の間隔を空けて平面視にて２次元状に配列され、音響制動部材２３上に配置されている。
【００３２】
複数の無機圧電素子２２は、超音波を送信するように構成されている。より具体的には、複数の無機圧電素子２２には、送信部１２からケーブル３と導電パッド２８、第１信号線２９を介して電気信号が入力される。この電気信号は、無機圧電素子２２の電極１０２と電極１０３との間に入力される。複数の無機圧電素子２２は、この電気信号を超音波信号に変換することによって超音波信号を送信する。
【００３３】
音響分離部２４は、無機圧電素子２２の音響インピーダンスに比して値が大きく異なる低音響インピーダンス樹脂から構成され、音響インピーダンスが大きく異なることにより、音響分離材として働き、これら複数の無機圧電素子２２の相互干渉を低減する機能を有する。音響分離部２４によって各無機圧電素子２２間におけるクロストークの低減が可能となる。
【００３４】
共通接地電極２５は、導電性の材料から構成され、図略の配線によって接地されており、そして、複数の無機圧電素子２２上にまたがって直線状に積層されることによってこれら無機圧電素子２２における各電極１０３を電気的に接地している。
【００３５】
音響整合層２６は、有機圧電素子２１と無機圧電素子２２の各々の音響インピーダンスの中間の音響インピーダンスを有し、有機圧電素子２１と無機圧電素子２２の音響インピーダンスの整合を図る。
【００３６】
有機圧電素子２１は、所定の厚さを持った平板状の有機圧電材料から成る圧電素子１０５と、この圧電素子１０５の一方主面に形成された互いに分離した複数の電極１０６と、この圧電素子１０５の他方主面に略全面に亘って一様に形成された電極１０７とを備えて構成されたシート状の圧電素子である。
【００３７】
複数の電極１０６が圧電素子１０５の一方主面に形成されることによって、有機圧電素子２１は、１個の電極１０７と圧電素子１０５と電極１０６とから成る圧電素子を２次元状に備え、各圧電素子が個別に動作する。
【００３８】
有機圧電素子２１における複数の圧電素子は、個別に機能させるために無機圧電素子２２のように個々に分離する必要がなく、一体的なシート状で構成することが可能である。
【００３９】
有機圧電素子２１は、反射波の超音波信号が受信され、この超音波信号を電気信号に変換する。この電気信号は、有機圧電素子２１における電極１０６と電極１０７とから出力される。この電気信号は、ケーブル３を介して受信部１３へ出力される。
【００４０】
第２信号線３０は、外部からの電気信号を受ける導電パッド２８と有機圧電素子２１の電極１０６とを接続する。すなわち第２信号線３０は有機圧電素子２１の電極１０６から、音響整合層２６、音響分離部２４、音響整合層３１、音響制動部材２３を貫通して導電パッド２８に接続されている。
【００４１】
音響整合層２７は、有機圧電素子２１の音響インピーダンスと被検体の音響インピーダンスとの整合をとる部材である。音響整合層２７は、円弧状に膨出した形状とされ、被検体に向けて送信される超音波を収束する音響レンズの機能を有する。
【００４２】
このような構成の超音波診断装置Ｓでは、例えば、操作入力部１１から診断開始の指示が入力されると、制御部１６の制御によって送信部１２で電気信号の送信信号が生成される。この生成された電気信号の送信信号は、ケーブル３を介して超音波探触子２へ供給される。より具体的には、この電気信号の送信信号は、超音波探触子２における複数の無機圧電素子２２へそれぞれ供給される。この電気信号の送信信号は、例えば、所定の周期で繰り返される電圧パルスである。複数の無機圧電素子２２は、それぞれ、この電気信号の送信信号が供給されることによってその厚み方向に伸縮し、この電気信号の送信信号に応じて超音波振動するよう駆動される。この超音波振動によって、複数の無機圧電素子２２は、共通接地電極２５、音響整合層２６、有機圧電素子２１および音響整合層２７を介して超音波を放射する。超音波探触子２が被検体に例えば当接されていると、これによって超音波探触子２から被検体に対して超音波が送信される。
【００４３】
なお、超音波探触子２は、被検体の表面上に当接して用いられてもよいし、被検体の内部に挿入して、例えば、生体の体腔内に挿入して用いられてもよい。
【００４４】
この被検体に対して送信された超音波は、被検体内部における音響インピーダンスが異なる１または複数の境界面で反射され、超音波の反射波となる。反射波には、送信された超音波の周波数（基本波の基本周波数）成分だけでなく、基本周波数の整数倍の高調波の周波数成分も含まれる。例えば、基本周波数の２倍、３倍および４倍などの第２高調波成分、第３高調波成分および第４高調波成分なども含まれる。反射波の超音波は、超音波探触子２で受信される。より具体的には、反射波の超音波は、音響整合層２７を介して有機圧電素子２１で受信され、有機圧電素子２１で機械的な振動が受信信号として電気信号に変換されて取り出される。取り出された受信信号は、ケーブル３を介して制御部１６で制御される受信部１３で受信される。
【００４５】
画像処理部１４は、制御部１６の制御によって、受信部１３で受信した受信信号に基づいて、送信から受信までの時間や受信強度などから被検体内の内部状態の画像（超音波画像）を生成し、表示部１５は、制御部１６の制御によって、画像処理部１４で生成された被検体内の内部状態の画像を表示する。本実施形態における超音波探触子２および超音波診断装置Ｓでは、上述したように基本波の高調波が受信されるので、ハーモニックイメージング技術によって超音波画像を形成することが可能となる。このため、本実施形態における超音波探触子２および超音波診断装置Ｓは、より高精度な超音波画像の提供が可能となる。そして、比較的パワーの大きい第２高調波と第３高調波が受信されるので、より鮮明な超音波画像の提供が可能となる。
【００４６】
（超音波診断装置と超音波探触子の回路構成）
超音波診断装置と超音波探触子間の電気接続について図４から図１０を用いて説明する。図４は、超音波探触子２内の回路構成を示す回路構成例１の概要図である。図５は、回路構成例１における接続状態を示す概要図である。図６は、超音波探触子２内の回路構成を示す回路構成例２の概要図である。図７は、回路構成例２における接続状態を示す概要図である。図８は、超音波探触子２内の回路構成を示す回路構成例３の概要図である。図９は、回路構成例３における送信側と受信側の実際の回路の一例の概要図である。図１０は、回路構成例３における送信側と受信側の実際の回路の他の例の概要図である。図１１は、超音波診断装置における超音波探触子の他の構成を示す図である。回路構成例１においては、図４に示すように、無機圧電素子アレイ４を構成する各無機圧電素子２２は、ｎ個の送信チャネルｃｈｔ１〜ｃｈｔｎにおける各チャネルに対応している。有機圧電素子アレイ５を構成する各有機圧電素子２１は、ｎ個の受信チャネルｃｈｒ１〜ｃｈｒｎにおける各チャネルに対応している。
【００４７】
無機圧電素子アレイ４の各無機圧電素子２２は、配線４３、送受切替回路４５、送信素子選択回路４８を通じて、超音波診断装置本体１から供給された送信用信号に対応する第１超音波信号を被検体に送信する。
【００４８】
有機圧電素子アレイ５を構成する各有機圧電素子２１から変換された受信信号は、受信素子選択回路４７に配線されている。
【００４９】
有機圧電素子２１が受信した第２超音波信号から変換された受信信号は、受信素子選択回路４７、送受切替回路４５、配線４３を通じて超音波診断装置本体１に送られる。
【００５０】
このように配線４３を共有化するために送受切替回路４５は、送信素子選択回路４８、受信素子選択回路４７の何れかを、配線４３内に接続するように切替える。
【００５１】
送受切替回路４６の例としては、図５に示すように、無機圧電素子２２と有機圧電素子２１へ各々接続する導電パッド２８と配線との接続を、アナログスイッチ６０を用いて直接切替えるものがある。アナログスイッチ６０としては、ＦＥＴ（Ｆｉｅｌｄ  Ｅｆｆｅｃｔ  Ｔｒａｎｓｉｓｔｏｒ）を用いてもよい。
【００５２】
回路構成例２においては、図６に示すように、無機圧電素子アレイ４を構成する各無機圧電素子２２は、ｎ個の送信チャネルｃｈｔ１〜ｃｈｔｎにおける各チャネルに対応している。有機圧電素子アレイ５を構成する各有機圧電素子２１は、ｎ個の受信チャネルｃｈｒ１〜ｃｈｒｎにおける各チャネルに対応している。無機圧電素子アレイ４を構成する各無機圧電素子２２に対してパルス発生器４０からパルスが印可される。
【００５３】
無機圧電素子アレイ４の各無機圧電素子２２は、超音波診断装置本体１から配線４３と送受切替回路４６を通じて供給された送信用信号に対応する第１超音波信号を被検体に送信する。
【００５４】
有機圧電素子２１が受信した第２超音波信号から変換された受信信号は、同様に送受切替回路４６と配線４３を通じて超音波診断装置本体１に送られる。
【００５５】
このように配線４３を共有化するために送受切替回路４５は、無機圧電素子アレイ４、または有機圧電素子アレイ５の何れかを、配線４３に接続するように切替える。
【００５６】
回路構成例３においては、図８に示すように、無機圧電素子アレイ４の各無機圧電素子２２と、有機圧電素子アレイ５の各有機圧電素子２１とは、超音波診断装置本体１に直接接続されている。
【００５７】
無機圧電素子アレイ４の各無機圧電素子２２は、超音波診断装置本体１から供給された送信用信号に対応する第１超音波信号を被検体に送信する。
【００５８】
有機圧電素子２１が受信した第２超音波信号から変換された受信信号は、超音波診断装置本体１に送られる。
【００５９】
有機圧電素子アレイ５を構成する各有機圧電素子２１から変換された受信信号は、超音波診断装置本体１に備えられたチェック部１７に入力されるよう配線されている。
【００６０】
次に、図９を用いて超音波探触子２において選択回路を用いずに送受信を自動的に切替える超音波診断装置本体１に内蔵された回路の一例を説明する。
【００６１】
最初に、送信時の回路動作を説明する。Ｖｃｃはプラス側に電圧を持つ電源で、Ｖｄｄはマイナス側に電圧を持つ電源である。
【００６２】
送信側９０の圧電素子Ｙ１を駆動するため超音波診断装置本体１の端子８０から送信信号が入力される。送信信号波形は、プラス側、マイナス側にも振られる正弦波でも良いし、矩形波でも良い。またインパルス波形でもよい。
【００６３】
送信信号は大信号のため、ダイオードＤ１はＯＮし、送信信号は圧電素子Ｙ１に印加される。
【００６４】
受信側９１の圧電素子Ｙ２には、送信波形のプラス側信号はダイオードＤ３を通過した後、抵抗Ｒ２を通過してＶｄｄ側に流れる。送信波形のマイナス側信号は抵抗Ｒ１を通ってＶｃｃへ、及び抵抗Ｒ２を通ってＶｄｄ側に流れるため、Ｙ２側に信号が印加されない。
【００６５】
このような動作により、受信側９１の圧電素子Ｙ２を振動させずに、送信側９０の圧電素子Ｙ１を振動させることができる。
【００６６】
次に受信時の回路動作を説明する。第２超音波信号を受けて圧電素子Ｙ２において電気信号が発生し、ＶｃｃおよびＶｄｄによって常にダイオードＤ３はＯＮされる。
【００６７】
受信信号はダイオードＤ３を通過し端子８０側に伝達される。送信側９０においては、ダイオードＤ１のスレッショルド電圧によってダイオードＤ１はＯＦＦ状態のため、圧電素子Ｙ１側には電気信号は流れない。以上の動作によって、図９に示す回路がスイッチを用いずとも、送受切替回路４６の機能を有する。
【００６８】
また、図１０に示す構成を有する回路でも良い。最初に、送信時の回路動作を説明する。Ｖｃｃはプラス側に電圧を持つ電源で、Ｖｄｄはマイナス側に電圧を持つ電源である。
【００６９】
送信側９０の圧電素子Ｙ１を駆動するため超音波診断装置本体１の端子８０から送信信号が入力される。送信信号波形は、プラス側、マイナス側にも振られる正弦波でも良いし、矩形波でも良い。またインパルス波形でもよい。
【００７０】
送信信号は大信号のため、ダイオードＤ１はＯＮし、送信信号は圧電素子Ｙ１に印加される。
【００７１】
受信側９１の圧電素子Ｙ２には、ダイオードＤ１７、Ｄ１８、Ｄ１９、およびＤ２０はＶｃｃおよびＶｄｄの電圧によって常にＯＮしている為、送信波形のプラス側信号は抵抗Ｒ１２を通過した後、Ｖｃｃ側に流れる。送信波形のマイナス側信号は抵抗Ｒ１４を通ってＶｄｄ側に流れるため、Ｙ２側に信号が印加されない。
【００７２】
このような動作により、受信側９１の信号Ｙ２を振動させずに、送信側９０の圧電素子Ｙ１を振動させることができる。
【００７３】
次に受信時の回路動作を説明する。第２超音波信号を受けてＹ２から電気信号が発生し、抵抗Ｒ１０、Ｒ１１、Ｒ１３の比率によって定まる増幅率に従ってオペアンプＵが電気信号を増幅される。図１０では、圧電素子Ｙ２の出力をオペアンプＵの正の入力端子に接続したが、負の入力端子に接続してもよい。第２超音波信号を増幅させない場合には、第２超音波信号をダイオードＤ１７とダイオードＤ１９の間に直接接続する。ＶｃｃおよびＶｄｄによって常にダイオードＤ１７、Ｄ１９はＯＮされる。
【００７４】
ダイオードＤ１７とダイオードＤ１９の間に伝達された電気信号は端子８０側と接続されるダイオードＤ１７とダイオードＤ１９の間に同じ電圧が発生するため、超音波診断装置本体１の端子８０に伝達される。
【００７５】
ダイオードＤ１６のスレッショルド電圧によってダイオードＤ１６はＯＦＦ状態のため、送信側９０の圧電素子Ｙ１側には受信信号は流れない。以上の動作によって、図１０に示す回路がスイッチを用いずとも、送受切替回路４６の機能を有する。
【００７６】
なお、Ｖｃｃ、Ｖｄｄの電圧を送信時は逆の関係（Ｖｃｃをマイナス側、Ｖｄｄをプラス側）にする事で、ダイオードＤ１７、Ｄ１８、Ｄ１９、およびＤ２０は常にＯＦＦになるため、送信信号が完全に抵抗Ｒ１３側に流れないようにできる。
【００７７】
超音波探触子２は図３に描いたような構成でもよいが、図１１に示す構成でもよい。図１１は、超音波診断装置における超音波探触子の他の構成を示す図である。無機圧電素子アレイ４と有機圧電素子アレイ５を、第１超音波信号８１の進行方向に対して垂直方向に、並列に配置する構成でもよい。二つの無機圧電素子アレイ４を中心に、二つの有機圧電素子アレイが取り囲み、音響制動部材２３と音響整合層２６を備える構成とする。無機圧電素子２２と、無機圧電素子２２が送信する超音波の強度を受信する有機圧電素子２１との対応は、例えば、無機圧電素子２２ａ−１が送信した超音波は有機圧電素子２１ａ−１が受信し、続いて、無機圧電素子２２ａ−２が送信した超音波は有機圧電素子２１ａ−２が受信する、という対応関係とする。また、無機圧電素子２２ｂ−１が送信した超音波は有機圧電素子２１ｂ−１が受信し、続いて、無機圧電素子２２ｂ−２が送信した超音波は有機圧電素子２１ｂ−２が受信する、という対応関係とする。
【００７８】
また、超音波探触子２は図１２に描いたような構成でもよい。図１２は、超音波診断装置における超音波探触子の他の構成を示す図である。図１２においては、無機圧電素子２と有機圧電素子２１とが第１超音波信号８１の進行方向に対して垂直方向に、有機圧電素子２１−１、無機圧電素子２２−１、有機圧電素子２１−２無機圧電素子２２−２、というように交互に配列され、音響制動部材２３と音響整合層２６を備える構成とする。無機圧電素子２２と、無機圧電素子２２が送信する超音波の強度を受信する有機圧電素子２１との対応は、例えば、無機圧電素子２２−１が送信した超音波は有機圧電素子２１−１が受信するという対応関係とする。
【００７９】
（超音波探触子の自己診断と機能回復）
以下に本実施形態における超音波探触子２の自己診断と機能回復について説明する。以下の動作は、制御部１６が中心になって実施される動作であり、動作するタイミングは、術者からの操作指示の入力を受けて実施されてもよいし、超音波診断装置を立ち上げた際に自動で実施されてもよい。
【００８０】
回路構成については上記したように３つの構成例があるが、ここでは、代表して図６に示す回路構成２を用いて説明する。
【００８１】
また、以下の動作は超音波探触子２を被検体の超音波診断を行わない状態、すなわち超音波探触子２を被検体に当接させない状態で実施することが望ましい。被検体からの反射である第２超音波信号を受けずに、第１超音波信号を直接受信することで、ノイズや誤情報によるトラブルを防止し、超音波探触子２の自己診断を精度よく実施するためである。
【００８２】
最初に何らかの不具合や故障により、送信素子として使用できない無機圧電素子２２を特定する自己診断を実施し、使用できないと判断された送信素子を使用せずに第１超音波信号を送信する超音波診断素子の第１故障診断処理について、図６、図７、図１３を用いて説明する。図１３は第１故障診断処理の処理フロー図である。
【００８３】
ステップＳ１にて、制御部１６は、図７に示すように、有機圧電素子２１側に選択されているアナログスイッチ６０−１を送信側である無機圧電素子２２側に切替える。
【００８４】
次にステップＳ２にて、制御部１６は、切替えて選択された１つの無機圧電素子２２に対して送信部１２にチェック用信号を印可させる。チェック用信号を印可させることで、選択された無機圧電素子２２は超音波を送信する。
【００８５】
次にステップＳ３にて、制御部１６は、選択した無機圧電素子２２に最も近い位置（近傍）に位置する有機圧電素子２１に、駆動された無機圧電素子２２からの超音波を受信させるために、アナログスイッチ６０−１を受信側である有機圧電素子２１側に切替える。
【００８６】
図３に示した超音波探触子２のように、第１超音波信号を送信する無機圧電素子アレイ４と、第１超音波信号を受信する有機圧電素子アレイ５とが積層されている超音波探触子２は、第１超音波信号を有機圧電素子アレイ５が直接受信することができ、ノイズや誤情報が無く特に好ましい。
【００８７】
次にステップＳ４にて、制御部１６は、チェック部１７に有機圧電素子２２が受信した受信信号が所定の基準信号に相当しているかチェックさせる。チェック部１７は、所定の回路で構成されるチェック回路である。チェック部は、駆動した無機圧電素子２２が故障等なく駆動されているかを判断する判断手段として機能するものである。なお、受信信号は例えば第３高調波などの高次高調波であることが望ましい。高次高調波を用いることで、より鮮明な超音波画像の提供が可能となる。以下、受信信号は高次高調波の受信信号であるとする。所定の基準信号とは、有機圧電素子２１が超音波を変換した電気信号の電圧値である。
【００８８】
次に、ステップＳ５にて、受信信号が所定の基準信号に相当ないとチェック部１７によって判断された場合にはステップＳ７に移り、所定の基準信号に到達していない送信素子である無機圧電素子２２を特定するための演算を実施する。続いて、所定の基準信号に到達していない送信素子である無機圧電素子２２はステップＳ８にて記憶部１８で記憶され、該無機圧電素子２２の超音波を受信した有機圧電素子２１はステップＳ９で記憶部１８に記憶され、ステップＳ１０に移る。
【００８９】
ステップＳ５にて、受信信号が所定の基準信号に相当するとチェック部１７によって判断された場合にはステップＳ６に移り、受信信号が所定の基準信号に到達していると判断された無機圧電素子２２と有機圧電素子２１の組み合わせが記憶部１８に記憶され、ステップＳ１０に移る。
【００９０】
ステップＳ１０においては、チェックする無機圧電素子２２と有機圧電素子２１とが所定の数に到達したか判断する。全ての無機圧電素子２２と有機圧電素子２１をチェックしても良いし、故障等の不具合が発生しやすい部分のみチェックしてもよい。
【００９１】
所定数に到達しなければ、ステップＳ１に戻り、残りの無機圧電素子２２と有機圧電素子２１とを順次チェックしていく。所定数に到達していれば、フローは終了する。
【００９２】
なお、基準信号は、超音波診断を実施する場合と同じ信号であってもよいし、数周期分の正弦波でもよい。数周期分の正弦波の場合には、受信信号に発生するリンギングや歪みを測定することで有機圧電素子２１に採用されるフッ化ビニリデン系コポリマの分極が壊れていないか確認できる。また、無機圧電素子２２からチャープ信号を送信し、有機圧電素子２１の受信信号にＦＦＴ解析を実施して、フッ化ビニリデン系コポリマの周波数特性を確認してもよい。無機圧電素子２２が送信する信号は符号化した信号でもよい。
【００９３】
ステップＳ３では、選択した無機圧電素子２２に最も近い位置（近傍）に位置する有機圧電素子２１に、駆動された無機圧電素子２２からの超音波を受信させてチェックしたが、近傍にある複数の有機圧電素子２１に受信させてチェックしてもよい。異常の素子を間違いなく特定するために好ましい。この場合の近傍とは、送信用素子からの第１超音波信号を直接検出できる位置関係にある状態である。
【００９４】
チェック動作は、超音波探触子２を超音波診断装置本体１に接続した場合や、超音波診断装置本体１に電源を投入して立ち上げる場合などに行う。また、有機圧電素子２１に採用されるフッ化ビニリデン系コポリマの分極が壊れる温度は１００度と無機圧電素子２２に採用されるＰＺＴに比べて小さいので環境温度の影響を受けやすい。そこで、超音波探触子２内に温度センサを設けて所定の温度（例えば６０度）を越えた時点でチェック動作を行ってもよい。
【００９５】
以上のように、使用できないと判断された無機圧電素子２２を特定し自己診断することで、超音波診断を実施する際に、制御部１６は該無機圧電素子２２を記憶部１８から呼び起こし、該無機圧電素子２２を使用しないように制御して超音波信号１を生成する。このように制御することで、正確な超音波診断を実施することができる。
【００９６】
なお、２次元状に配列された無機圧電素子アレイ４において、全ての無機圧電素子２２を送信に用いるのではなく、図１４に示すように、一部の無機圧電素子２２を用いても良い。図１４は、２次元状に配列された無機圧電素子アレイ４の概要図である。
【００９７】
図１４は、一部の無機圧電素子２２を駆動素子８２（同図中の黒色部）として超音波の送信に用い、残りの無機圧電素子２２を非駆動素子８３（同図中の白色部）として超音波の送信に用いないようにするスパースアレイを表す。スパースアレイを採用することで、一部の駆動素子８２が故障等により超音波を送信しない場合でも、残りの駆動素子８２が生成する第１超音波信号によって正確な超音波診断を行うに堪える超音波波面を形成することができる。
【００９８】
次に、何らかの不具合や故障により、そのままでは送信素子として使用できない無機圧電素子２２を特定して自己診断し、入力信号の電圧値等を補正することで、機能回復した第１超音波信号を送信する超音波診断素子の第２故障診断処理について図１５を用いて説明する。図１５は、第２故障診断処理の処理フロー図である。
【００９９】
ステップＳ１からステップＳ５までは、ステップＳ５が一部異なる以外は、上記の第１故障診断処理と同じであるので、ステップＳ５以降の異なるステップを中心に説明する。
【０１００】
ステップＳ５においては、有機圧電素子２１が受信した超音波の受信信号が所定の基準信号に相当するか判断する。
【０１０１】
チェック部は、駆動した無機圧電素子２２が故障等なく駆動されているかを判断して自己診断し、機能回復できるか検査する検査手段として機能するものである。
【０１０２】
第２故障診断処理における所定の基準信号は、第１故障診断処理における基準信号に比べてやや低い値となる。第１故障診断処理においては、そのままでは使用できないほど送信する超音波が弱まった無機圧電素子２２を特定するものであるが、第２故障診断処理においては補正可能な無機圧電素子２２を特定するからである。
【０１０３】
ステップＳ５にて、受信信号が所定の基準信号に相当ないとチェック部１７によって判断された場合にはステップＳ７に移り、所定の基準信号に到達していない送信素子である無機圧電素子２２を特定するための演算を実施する。
【０１０４】
所定の基準信号に到達していない送信素子である無機圧電素子２２はステップＳ８にて記憶部１８で記憶され、該無機圧電素子２２の超音波を受信した有機圧電素子２１はステップＳ９で記憶部１８に記憶される。
【０１０５】
次にステップＳ２１にて、受信信号が所定の基準信号に到達していない無機圧電素子２２が、入力信号を変更することで、有機圧電素子２１の受信信号が所定の基準信号に相当するように、出力を補正して機能回復できるかチェック部１７が判断する。
【０１０６】
具体的には、無機圧電素子２２が送信する超音波の強度は無機圧電素子２２に入力する電気信号の振幅に略比例するので、送信部１２が無機圧電素子２２に入力可能な該電気信号の振幅の範囲で、有機圧電素子２１の受信信号が基準信号を超えるような振幅の超音波を送信できるかチェック部１７が判断する。
【０１０７】
有機圧電素子２１の受信信号が基準信号を超えるような振幅の超音波を送信できないと制御部１６が判断した場合には、ステップＳ６に移り、補正して機能回復が可能と判断された無機圧電素子２２と有機圧電素子２１の組み合わせが記憶部１８に記憶され、ステップＳ２４に移る。
【０１０８】
ステップＳ２１にて、機能回復が可能と判断された場合には、ステップＳ２２に移り、補正係数を算出する。補正係数とは、受信信号が所定の基準信号に到達するように、無機圧電素子２２の超音波の強度を高めるために、無機圧電素子２２への入力信号の振幅に乗算すべき係数を言う。
【０１０９】
補正係数はステップＳ２３にて記憶部１８に記憶される。次にステップＳ２４に移り、チェックする無機圧電素子２２と有機圧電素子２１とが所定の数に到達したか判断する。全ての無機圧電素子２２と有機圧電素子２１をチェックしても良いし、故障等の不具合が発生しやすい部分のみチェックしてもよい。
【０１１０】
所定数に到達しなければ、ステップＳ１に戻り、残りの無機圧電素子２２と有機圧電素子２１とを順次チェックしていく。所定数に到達していれば、フローは終了する。
【０１１１】
以上のように、入力信号を変更することで、使用できないと判断された無機圧電素子２２を使用可能とすることができ、正確な超音波診断を実施することができる。
【０１１２】
次に、何らかの不具合や故障により、そのままでは送信素子として使用できない無機圧電素子２２を特定して自己診断し、該無機圧電素子２２は使用せず、周辺の無機圧電素子２２が送信する超音波の強度を高めることで補間して機能回復し、超音波探触子２に第１超音波信号を送信させる超音波診断素子の第３故障診断処理について図１６を用いて説明する。図１６は、第３故障診断処理の処理フロー図である。
【０１１３】
ステップＳ１からステップＳ５までは、ステップＳ５が一部異なる以外は、上記の第１故障診断処理と同じであるので、ステップＳ５以降の異なるステップを中心に説明する。
【０１１４】
ステップＳ５においては、チェック部１７は、有機圧電素子２１が受信した超音波の受信信号が所定の基準信号に相当するか判断する。
【０１１５】
チェック部１７は、駆動した無機圧電素子２２が故障等なく駆動されているかを判断して自己診断し、補間して機能回復できるか判断する判断手段として機能するものである。
【０１１６】
第３故障診断処理における所定の基準信号は、第２故障診断処理における基準信号に比べて低い値となる。第２故障診断処理においては、そのままでは使用できずに補正して使用する無機圧電素子２２を特定するものであるが、第３故障診断処理においては補間して機能回復が可能な無機圧電素子２２を特定するからである。該無機圧電素子２２には、送信部１２が駆動しないように制御部１６が制御することとなる。
【０１１７】
ステップＳ５にて、受信信号が所定の基準信号に相当ないとチェック部１７によって判断された場合にはステップＳ７に移り、所定の基準信号に到達していない送信素子である無機圧電素子２２を特定するための演算を実施する。
【０１１８】
第２故障診断処理における基準信号は、無機圧電素子２２への入力信号を変更して無機圧電素子２２が送信する超音波の強度を補正可能な値であるが、第３故障診断処理における基準信号は、無機圧電素子２２への入力信号を変更しても無機圧電素子２２が送信する超音波の強度を補正できない値である。従って、第３故障診断処理における所定の基準信号は、第２故障診断処理における所定の基準信号よりも小さい値となる。
【０１１９】
所定の基準信号に到達していない送信素子である無機圧電素子２２はステップＳ８にて記憶部１８で記憶され、該無機圧電素子２２の超音波を受信した有機圧電素子２１はステップＳ９で記憶部１８に記憶される。
【０１２０】
次にステップＳ３１にて、受信信号が所定の基準信号に到達していない無機圧電素子２２の出力を、周辺の無機圧電素子２２の出力を増加させることで補間して機能回復させる補間量を算出する。
【０１２１】
具体的には、該無機圧電素子２２が送信すべき超音波の強度は、第１故障診断処理における基準信号と等しいとできるので、第１故障診断処理における基準信号と、該無機圧電素子２２が実際に送信している超音波によって有機圧電素子２１にて生じている受信信号との差を補間量とする。
【０１２２】
術者が超音波診断を実施する際には、制御部１６は、該無機圧電素子２２の周辺の無機圧電素子２２、例えば、該無機圧電素子２２を円の中心にし、９０度毎に位置する４つの無機圧電素子２２に、補間量を４等分した受信信号に相当する超音波出力を出力させるように制御することとなる。
【０１２３】
次にステップＳ３２にて、制御部１６は、補間量、および、故障等した無機圧電素子２２を補間する無機圧電素子２２を特定した情報を記憶部１８に記憶させる。
【０１２４】
次にステップＳ３３にて、チェックする無機圧電素子２２と有機圧電素子２１とが所定の数に到達したか判断する。全ての無機圧電素子２２と有機圧電素子２１をチェックしても良いし、故障等の不具合が発生しやすい部分のみチェックしてもよい。
【０１２５】
所定数に到達しなければ、ステップＳ１に戻り、残りの無機圧電素子２２と有機圧電素子２１とを順次チェックしていく。所定数に到達していれば、フローは終了する。
【０１２６】
このように、使用できない無機圧電素子２２の出力を補間して機能回復させることで、正確な超音波診断を実施することができる。
【０１２７】
以上のように、本実施形態によれば、使用できないと判断された無機圧電素子２２を特定し自己診断することで、超音波診断を実施する際に、制御部１６は該無機圧電素子２２を記憶部１８から呼び起こし、該無機圧電素子２２を使用しないように制御して超音波信号１を生成する。このように制御することで、正確な超音波診断を実施することができる。
【０１２８】
また、本実施の形態によれば、入力信号を変更することで、使用できないと判断された無機圧電素子２２を使用可能とすることができ、正確な超音波診断を実施することができる。
【０１２９】
また、本実施の形態によれば、使用できない無機圧電素子２２の出力を補間して機能回復させることで、正確な超音波診断を実施することができる。
【０１３０】
また、本実施の形態によれば、第２超音波信号に、第１超音波信号の第２高調波成分、または第３高調波成分を採用することで、より鮮明な超音波画像の提供が可能となる。
【０１３１】
また、本実施の形態によれば、前記送信用素子である無機圧電素子２２の近傍に位置する受信用素子である有機圧電素子２１からの受信信号をチェックすることで、無機圧電素子２２の自己診断を正確に実施することができる。
【０１３２】
また、本実施の形態によれば、送信用素子に無機圧電素子２２を採用することで、強度の大きい第１超音波信号を送信でき、受信用素子に有機圧電素子２１を採用することで、第２超音波信号を広帯域に受信することができるので、鮮明な超音波画像を得ることができる。
【０１３３】
また、本実施の形態によれば、送信用素子である無機圧電素子２２と受信用素子である有機圧電素子２１とが第１超音波信号の送信方向に積層されて一体化することで、小型の超音波探触子２を構成することができる。
【符号の説明】
【０１３４】
１  超音波診断装置本体
２  超音波探触子
３  ケーブル
４  無機圧電素子アレイ
５  有機圧電素子アレイ
１１  操作入力部
１２  送信部
１３  受信部
１４  画像処理部
１５  表示部
１６  制御部
１７  チェック部
１８  記憶部
２１  有機圧電素子
２３  音響制動部材
２４  音響分離部
２５  共通接地電極
２６、２７  音響整合層
２８  導電パッド
２９  第１信号線
３０  第２信号線
３１  音響整合層
４０  パルス発生器
４３  配線
４５  送受切替回路
４６  送受切替回路
４７  受信素子選択回路
４８  送信素子選択回路
６０  アナログスイッチ
８０  端子
８１  第１超音波信号
８２  駆動素子
８３  非駆動素子
９０  送信側
９１  受信側
１０１  圧電素子
１０２、１０３、１０６、１０７  電極
１０３  電極
１０５  圧電素子
Ｓ  超音波診断装置
【図１】
2010172411.tif 000003
【図２】
2010172411.tif 000004
【図３】
2010172411.tif 000005
【図４】
2010172411.tif 000006
【図５】
2010172411.tif 000007
【図６】
2010172411.tif 000008
【図７】
2010172411.tif 000009
【図８】
2010172411.tif 000010
【図９】
2010172411.tif 000011
【図１０】
2010172411.tif 000012
【図１１】
2010172411.tif 000013
【図１２】
2010172411.tif 000014
【図１３】
2010172411.tif 000015
【図１４】
2010172411.tif 000016
【図１５】
2010172411.tif 000017
【図１６】
2010172411.tif 000018